(57)【要約】【課題】乗場ドアパネルを開いた状態に固定するために要する作業者の労力を軽減する。【解決手段】乗場ドアパネル４が開く方向へのドアハンガ６の移動を阻止することにより乗場ドアパネル４を施錠する施錠装置１０と、施錠装置１０に対して解錠操作を行うキー１４を施錠装置１０に導く挿入部１３とを備えるエレベータの乗場ドア装置において、挿入部１３に挿入されたキー１４を検出する検出装置１５と、ドアレール３上でのハンガローラ６ａの転動を阻止するローラ制動装置２０と、ローラ制動装置２０を制御する制御装置３０とを備え、制御装置３０は、検出装置１５によりキー１４が検出されている状態においてローラ制動装置２０にドアレール３上でのハンガローラ６ａの転動を許可させ、検出装置１５によりキー１４が検出されていない状態においてローラ制動装置２０にドアレール上でのハンガローラ６ａの転動を阻止させる。【選択図】図２
2015134668.tif 000002
【特許請求の範囲】
【請求項１】
エレベータの乗場の出入口の上方に水平方向に延びて設けられたドアレールと、前記ドアレールの下方に配置された乗場ドアパネルと、前記ドアレール上を転動するハンガローラを有し前記乗場ドアパネルを前記ドアレールに吊り下げるドアハンガと、前記乗場ドアパネルが前記乗場の出入口を閉鎖した状態で、前記乗場ドアパネルが開く方向への前記ドアハンガの移動を阻止することにより前記乗場ドアパネルを施錠する施錠装置と、前記施錠装置に対して解錠操作を行う所定具を、前記施錠装置に導く挿入部とを備えるエレベータの乗場ドア装置において、
前記挿入部に挿入された前記所定具を検出する検出装置と、前記ドアレール上での前記ハンガローラの転動を阻止するローラ制動装置と、このローラ制動装置を制御する制御装置とを備え、
前記制御装置は、前記検出装置により前記所定具が検出されている状態において前記ローラ制動装置に前記ハンガローラの転動を許可させ、前記検出装置により前記所定具が検出されていない状態において前記ローラ制動装置に前記ドアレール上での前記ハンガローラの転動を阻止させる
ことを特徴とするエレベータの乗場ドア装置。
【請求項２】
請求項１に記載のエレベータの乗場ドア装置において、
前記ドアレールは強磁性の金属部材であり、
前記ローラ制動装置は、
前記ドアレールの上方に設けられ、前記ハンガローラから離れた退避位置と、前記ドアレールとの間で前記ハンガローラを挟むことで前記ドアレール上での前記ハンガローラの転動を阻止する制動位置との２位置間を上下動可能な制動体と、
前記制動体を前記退避位置の方向に付勢する付勢体と、
前記制動体に設けられ、前記付勢体による付勢に抗して前記ドアレールに吸着することで、前記制動体を前記制動位置に移動させる電磁石とを備え、
前記制御装置は、前記検出装置により前記所定具が検出されている状態において前記付勢体の付勢力を超える磁力を前記電磁石に発生させないことによって前記制動体を前記退避位置に位置させ、前記検出装置により前記所定具が検出されていない状態において前記電磁石を励磁することによって前記制動体を前記制動位置に位置させる
ことを特徴とするエレベータの乗場ドア装置。
【請求項３】
請求項２に記載のエレベータの乗場ドア装置において、
前記制動体は、この制動体が前記制動位置に位置した状態おいて、前記ハンガローラの上部が挿入され、前記ハンガローラに対する輪留めを成す凹部を備える
ことを特徴とするエレベータの乗場ドア装置。
【発明の詳細な説明】
【技術分野】
【０００１】
本発明は、エレベータの乗場ドア装置に関する。
【背景技術】
【０００２】
エレベータの保守点検作業において、その保守点検作業を行う作業者はエレベータの乗場と昇降路のピットとの間での行き来のために、また、エレベータの乗場と乗かごの天井との間での行き来のために、乗場ドアパネルを開いた状態で固定する。
【０００３】
従来、乗場ドアパネルを開いた状態に固定するための装置としては、乗場ドアパネルをガイドする敷居溝に差し込まれ、乗場ドアの閉じる方向の移動を阻止するドアストッパが考案されている（例えば特許文献１参照）。
【先行技術文献】
【特許文献】
【０００４】
【特許文献１】特開２００７−２２７４８号公報
【発明の概要】
【発明が解決しようとする課題】
【０００５】
エレベータの保守点検作業を行う作業者は、乗場ドアパネルを開いた状態に固定する際、はじめに、乗場ドア装置の上部に設けられた施錠装置に対する解錠操作を起立した姿勢で行い、乗場ドアパネルを開く。次に、作業者は腰を落とした姿勢で、ドアストッパを敷居溝に差し込む。したがって、作業者は姿勢を、起立した姿勢から腰を落とした姿勢に変化させる必要であるだけでなく、姿勢を変えるとき、および、腰を落とした姿勢を維持している状態において乗場から昇降路内に転落することがないよう気を付けなければならない。また、作業者はドアストッパを誤って昇降路内に落下させないよう気を付けなければならず、ドアストッパを誤って昇降路内に落下させてしまった場合には、そのドアストッパを拾う手間が発生する。
【０００６】
本発明は前述の事情を考慮してなされたものであり、その目的は、乗場ドアパネルを開いた状態に固定するために要する作業者の労力を軽減することができるエレベータの乗場ドア装置を提供することにある。
【課題を解決するための手段】
【０００７】
前述の目的を達成するために本発明に係るエレベータの乗場ドア装置は、エレベータの乗場の出入口の上方に水平方向に延びて設けられたドアレールと、前記ドアレールの下方に配置された乗場ドアパネルと、前記ドアレール上を転動するハンガローラを有し前記乗場ドアパネルを前記ドアレールに吊り下げるドアハンガと、前記乗場ドアパネルが前記乗場の出入口を閉鎖した状態で、前記乗場ドアパネルが開く方向への前記ドアハンガの移動を阻止することにより前記乗場ドアパネルを施錠する施錠装置と、前記施錠装置に対して解錠操作を行う所定具を、前記施錠装置に導く挿入部とを備えるエレベータの乗場ドア装置において、前記挿入部に挿入された前記所定具を検出する検出装置と、前記ドアレール上での前記ハンガローラの転動を阻止するローラ制動装置と、このローラ制動装置を制御する制御装置とを備え、前記制御装置は、前記検出装置により前記所定具が検出されている状態において前記ローラ制動装置に前記ハンガローラの転動を許可させ、前記検出装置により前記所定具が検出されていない状態において前記ローラ制動装置に前記ドアレール上での前記ハンガローラの転動を阻止させることを特徴とする。
【発明の効果】
【０００８】
本発明に係るエレベータの乗場ドア装置は、挿入部に所定具が挿入されている状態においてドアレール上でのハンガローラの転動を許可し、所定具が挿入されていない状態においてローラ制動装置によりドアレール上でのハンガローラの転動を阻止する。ハンガローラの転動が阻止された状態においては、乗場ドアパネルは開く方向および閉じる方向の何れの方向にも移動しない。したがって、乗場ドアパネルを開いた状態に固定する際、作業者は、はじめに、挿入部に所定具を挿入し施錠装置に対して解錠操作を行い、次に、その所定具を挿入部に挿入した状態を維持しながら乗場ドアパネルを押し動かして開き、次に、挿入部から所定具を抜く、という手順で、乗場ドアパネルを開いた状態に固定することができる。これにより、本発明に係るエレベータの乗場ドア装置は、乗場ドアパネルを開いた状態に固定するために要する作業者の労力を軽減することができる。
【図面の簡単な説明】
【０００９】
【図１】本発明の一実施形態に係るエレベータの乗場ドア装置において、施錠装置に対する解錠操作が行われている様子を示す図。
【図２】図１に示した乗場ドア装置において、乗場ドアパネルが開いた状態で固定された状態を示す図である。
【発明を実施するための形態】
【００１０】
本発明の一実施形態に係るエレベータの乗場ドア装置について図１，図２を用いて説明する。
【００１１】
図１に示すように、本実施形態に係るエレベータの乗場ドア装置は、エレベータの乗場の出入口１の上方に設けられたベース部材２と、このベース部材２に水平方向に延びて設けられ、強磁性の金属部材であるドアレール３と、このドアレール３の下方に配置された乗場ドアパネル４と、ドアレール３上を転動するハンガローラ６ａを有し乗場ドアパネル４をドアレール３に吊り下げるドアハンガ６と、乗場ドアパネル４が乗場の出入口１を閉鎖した状態において、乗場ドアパネル４が開く方向へのドアハンガ６の移動を阻止することにより乗場ドアパネル４を施錠する施錠装置１０とを備える。
【００１２】
施錠装置１０は、ドアハンガ６に上下方向に回動可能に設けられたフック１１と、ベース部材２に設けられ、乗場ドアパネル４が乗場の出入口１を閉鎖した状態においてフック１１が引っ掛けられるフック受け部１２とを備える。つまり、フック１１がフック受け部１２に引っ掛ることによって、乗場ドアパネル４が開く方向へのドアハンガ６の移動が阻止され、この結果、乗場ドアパネル４の開く方向の移動が阻止される。
【００１３】
フック１１は、このフック１１を上方向に回動させるために下方から押される操作部１１ａを備える。操作部１１ａの下方に位置するベース部材２の箇所には、施錠装置１０に対して解錠操作を行う所定具である外部解放キー１４を施錠装置１０に導く挿入部１３が設けられている。施錠装置１０に対する解錠操作とは、外部解放キー１４によりフック１１を上方向に回動させることでフック受け部１２から離脱させる操作である。
【００１４】
さらに、本実施形態に係るエレベータの乗場ドア装置は、挿入部１３に挿入された外部解放キー１４を検出する検出装置１５と、ドアレール３上でのハンガローラ６ａの転動を阻止するローラ制動装置２０と、ローラ制動装置２０を制御する制御装置３０とを備える。
【００１５】
検出装置１５はマイクロスイッチから成り、レバー１５ａと、このレバー１５ａの操作に連動して閉じる常開接点を含むスイッチ回路（図示してない）とを備える。レバー１５ａは、挿入部１３からフック１１の操作部１１ａに向かう外部解放キー１４の軌道上に位置する。挿入部１３に挿入された外部解放キー１４は、検出装置１５のレバー１５ａを操作し続ける。これにより、検出装置１５は、外部解放キー１４を検出したことを示す検出信号を出力し続ける。この検出信号は制御装置３０に入力される。外部解放キー１４が挿入部１３から抜かれれば、レバー１５ａは操作されなくなり、これに伴って常開接点は開いた状態に復帰するので、検出装置１５は検出信号を出力しなくなる。
【００１６】
ローラ制動装置２０は、ドアレール３の上方に設けられ、ハンガローラ６ａから離れた退避位置（図１に示す位置）と、ドアレール３との間でハンガローラ６ａを挟むことによってドアレール３上でのハンガローラ６ａの転動を阻止する制動位置（図２に示す位置）との２位置間を上下動可能な制動体２１と、ドアレール３と制動体２１の間に位置して制動体２１に取り付けられ、制動体２１を退避位置の方向に付勢する付勢体であるコイルスプリング２３と、制動体２１に設けられ、コイルスプリング２３による付勢に抗してドアレール３に吸着することで、制動体２１を制動位置に移動させる電磁石２４とを備える。ハンガローラ６ａの転動が阻止された状態においては、乗場ドアパネル４は開く方向および閉じる方向の何れの方向にも移動しない。
【００１７】
制動体２１は、ドアレール３と平行に延びている。ドアレール３の両端部のそれぞれには支持部材２２が立上って設けられている。支持部材２２には上下方向に延びたガイド孔２２ａが設けられている。制動体２１は、ガイド孔２２ａに対して上下方向に移動可能に挿入されたガイド突起部２１ａを備える。つまり、制動体２１はガイド突起部２１ａとガイド孔２２ａとによって、退避位置と制動位置との２位置間での上下動をガイドされる。
【００１８】
また、制動体２１は、ハンガローラ６ａの軌道上に位置し、上方向に凹んだ凹部２１ｂを備える。この凹部２１ｂには、制動体２１が制動位置に位置した状態において、ハンガローラ６ａの上部が挿入される。凹部２１ｂは、ハンガローラ６ａの上部が挿入された状態において、ドアレール３上でのハンガローラ６ａの転動の抵抗となる輪留めを成す。
【００１９】
制御装置３０は、検出装置１５により外部解放キー１４が検出されている状態においてローラ制動装置２０にハンガローラ６ａの転動を許可させ、検出装置１５により外部解放キー１４が検出されていない状態においてローラ制動装置２０にドアレール３上でのハンガローラ６ａの転動を阻止させる。より詳細には、制御装置３０は、検出装置１５からの検出信号が入力されている状態（検出装置１５により外部解放キー１４が検出されている状態）において、電磁石２４を消磁させることによって、コイルスプリング２３の付勢力を超える磁力を電磁石２４に発生させず、これによって、制動体２１を退避位置に位置させる。また、制御装置３０は、検出装置１５からの検出信号が入力されていない状態（検出装置１５により外部解放キー１４が検出されていない状態）において、電磁石２４を励磁することによって制動体２１を制動位置に位置させる。
【００２０】
また、制御装置３０は、乗場に設けられた操作盤（図示してない）および乗かご（図示してない）に設けられた操作盤（図示してない）に対する操作に基づき、乗かごの走行と停止、および、かごドアパネル（図示してない）と乗場ドアパネルの開閉のためのエレベータの制御を行うものでもあり、これに関連して乗かごの状態に基づいてローラ制動装置２０を制御する。具体的には、制御装置３０は、乗かごを乗場に停止させている状態において、電磁石２４を消磁した状態を維持することで制動体２１を退避位置に位置させた状態を維持する。また、制御装置３０は乗かごを走行させている状態および乗場以外の位置に停止せている状態において、電磁石２４を励磁することによって制動体２１を制動位置に位置させる。
【００２１】
このように構成された本実施形態に係るエレベータの乗場ドア装置は、次のように動作する。
【００２２】
保守点検作業の開始前、乗場ドアパネル４は乗場の出入口１を閉鎖した状態であり、施錠装置１０により施錠された状態であるとする。この状態で、保守点検作業を行う作業者は、乗場に設けられた操作盤、または乗かごに設けられた操作盤を操作し、制御装置３０に乗かごを乗場以外の位置に停止させる。
【００２３】
この状態において、制御装置３０は、乗かごを乗場以外の位置に停止させた状態に維持していることに基づき、電磁石２４を励磁した状態を維持する。これにより、電磁石２４はコイルスプリング２３による付勢に抗してドアレール３に吸着した状態を維持し、この結果、制動体２１は制動位置に位置した状態を維持する。
【００２４】
このように制動体２１が制動位置に位置した状態において、ハンガローラ６ａは、このハンガローラ６ａの上部を制動体２１の凹部２１ｂに挿入された状態で、制動体２１とドアレール３との間に挟まれることで、ドアレール３上での転動を阻止された状態に維持される。
【００２５】
この状態の乗場ドア装置の挿入部１３に、作業者は外部解放キー１４を挿入し、施錠装置１０に対して解錠操作を行う。このとき、検出装置１５は、挿入部１３に挿入された外部解放キー１４を検出し、検出信号を出力する。この検出信号は制御装置３０に入力され、制御装置３０は、電磁石２４を消磁する。これにより、制動体２１はコイルスプリング２３により付勢されて退避位置に移動する。この結果、ハンガローラ６ａは、ドアレール３上での転動を許可された状態となる。検出装置１５からの検出信号が制御装置３０に入力され続ける限り、すなわち、挿入部１３に外部解放キー１４を挿入した状態を維持する限り、ハンガローラ６ａがドアレール３上での転動を許可された状態に維持される。
【００２６】
施錠装置１０に対して解錠操作を行った後、作業者は、その外部解放キー１４で施錠装置１０の解錠状態を維持しながら、フック１１がフック受け部１２に引っ掛らなくなる位置まで乗場ドアパネル４を押し動かして開く。その後、作業者は、挿入部１３に外部解放キー１４を挿入した状態を維持しながら、乗場ドアパネル４を全開する位置まで押し動かす。
【００２７】
乗場ドアパネル４を全開させた後、作業者は、挿入部１３から外部解放キー１４を抜く。挿入部１３に外部解放キー１４が挿入されていない状態において、検出装置１５は外部解放キー１４を検出せず、検出信号を出力しなくなる。これに伴い、制御装置３０は電磁石２４を励磁する。これにより、電磁石２４は、コイルスプリング２３による付勢に抗してドアレール３に吸着し、制動体２１を制動位置に移動させる。この結果、乗場ドアパネル４は全開した状態に固定される。
【００２８】
制御装置３０は、乗かごが乗場以外の位置に停止した状態において、電磁石２４を励磁し続け、これにより、乗場ドアパネル４は全開した状態に固定され続ける。このように乗場ドアパネル４が全開した状態に固定されている間、作業者は乗場と昇降路のピットとの間を行き来したり、乗場と乗かごの天井との間を行き来したりすることができる。ここでは、乗場ドアパネル４を全開する場合を例に挙げて説明したが、全開位置までの途中位置においても、前述と同様に、制動体２１により乗場ドアパネル４を開いた状態で固定することができる。
【００２９】
本実施形態に係るエレベータの乗場ドア装置は次の効果を奏する。
【００３０】
本実施形態に係るエレベータの乗場ドア装置においては、乗場ドアパネル４を開いた状態に固定する際、作業者は、はじめに、挿入部に外部解放キー１４を挿入し施錠装置１０に対して解錠操作を行い、次に、その外部解放キー１４を挿入部に挿入した状態を維持しながら乗場ドアパネル４を押し動かして開き、次に、挿入部から外部解放キー１４を抜く、という手順で、乗場ドアパネル４を開いた状態に固定することができる。これにより、本実施形態に係るエレベータの乗場ドア装置は、乗場ドアパネル４を開いた状態に固定するために要する作業者の労力を軽減することができる。
【００３１】
本実施形態に係るエレベータの乗場ドア装置のローラ制動装置２０において、制動体２１はドアレール３の上方に位置し、上下動することによって、ドアレール３上でのハンガローラ６ａの転動の許可と阻止を行うものである。これにより、本実施形態に係る乗場ドア装置は、昇降路側に突出して位置することのないローラ制動装置を備えることと、ローラ制動装置により乗場ドアパネル４を固定することとを両立できる。
【００３２】
本実施形態に係るエレベータの乗場ドア装置のローラ制動装置２０において、制動体２１は輪留めを成す凹部２１ｂを備えるので、乗場ドアパネル４を開いた状態に確実に固定することができる。
【符号の説明】
【００３３】
１  出入口
２  ベース部材
３  ドアレール
４  乗場ドアパネル
６  ドアハンガ
６ａ  ハンガローラ
１０  施錠装置
１１  フック
１１ａ  操作部
１２  フック受け部
１３  挿入部
１４  外部解放キー
１５  検出装置
１５ａ  レバー
２０  ローラ制動装置
２１  制動体
２１ａ  ガイド突起部
２１ｂ  凹部
２２  支持部材
２２ａ  ガイド孔
２３  コイルスプリング（付勢体）
２４  電磁石
３０  制御装置
【図１】
2015134668.tif 000003
【図２】
2015134668.tif 000004